(57)【特許請求の範囲】
【請求項１】
光源ランプが取り付けられる金属製の照明器具本体と、反射板とが備えられ、
該反射板は、反射面が光を拡散反射させる平面形状をした樹脂製反射板からなっていて、その両端を向き合う方向に押し合わせることで湾曲状に弾性撓み変形をすることができるようになっており、該湾曲状の弾性撓み変形をさせた状態で、その両端部が、照明器具本体のがわの対の掛止凹所内に、前記反射板の弾性復元力によって弾力的に当接して位置決め状態に照明器具本体に保持されており、該保持状態において、照明器具本体に取り付けられている光源ランプからの光を直接受けて該光を拡散反射させるようになされており、
前記照明器具本体において、各掛止凹所から前記樹脂製反射板に隠されることなく外方に延びる面部が、鏡面反射面からなっていて、照明器具本体に取り付けられた前記光源ランプからの光を直接受けて、該光を鏡面反射させるようになされていることを特徴とする、照明器具における反射部の構造。
【発明の詳細な説明】
【技術分野】
【０００１】
本発明は、照明器具における反射部の構造に関する。
【背景技術】
【０００２】
直管形蛍光管などの光源ランプが取り付けられる照明器具本体に対し、反射板を取り付ける構造として、予め所定の形状に曲げ加工された曲げ成形品からなる鏡面反射型の金属製反射板を用い、該反射板を照明器具本体にねじなどで止め付けた構造のものは、従来より提供されている。
【先行技術文献】
【特許文献】
【０００３】
【特許文献１】特開２００９−１７６５３２号公報
【発明の概要】
【発明が解決しようとする課題】
【０００４】
しかしながら、上記のような金属製の曲げ成形品からなる反射板を照明器具本体に取り付けた構造では、反射板のコストが高くついてしまうという問題がある。
【０００５】
また、反射板の取付けでは、反射板を、照明器具本体の所定の位置に手で支えつつ、ねじ止めしていかなければならず、照明器具本体に対する反射板の取付けが必ずしも容易ではないという問題もある。
【０００６】
更に、反射板の取付けにおいて、反射板が照明器具本体に対してスムーズに嵌り込むことができるように、反射板と照明器具本体との間には遊びが設けられており、その遊びが隙間となって外観に現れてしまい、体裁を悪くしてしまうことがあるという問題もある。
【０００７】
本発明は、上記のような問題点に鑑み、反射板のコストを低く抑えることができ、しかも、反射板を照明器具本体に対して容易に取り付けることができ、加えて、隙間のない外観体裁良好な取付け状態を形成することができる、照明器具における反射部の構造を提供することを課題とする。
【課題を解決するための手段】
【０００８】
上記の課題は、光源ランプが取り付けられる金属製の照明器具本体と、反射板とが備えられ、
該反射板は、反射面が光を拡散反射させる平面形状をした樹脂製反射板からなっていて、その両端を向き合う方向に押し合わせることで湾曲状に弾性撓み変形をすることができるようになっており、該湾曲状の弾性撓み変形をさせた状態で、その両端部が、照明器具本体のがわの対の掛止凹所内に、前記反射板の弾性復元力によって弾力的に当接して位置決め状態に照明器具本体に保持されており、該保持状態において、照明器具本体に取り付けられている光源ランプからの光を直接受けて該光を拡散反射させるようになされていることを特徴とする、照明器具における反射部の構造によって解決される（第１発明）。
【０００９】
この構造では、反射板は、照明器具本体に取り付けられる前の自然な状態で平面形状をしており、かつ、反射面が光を拡散反射させる樹脂製反射板からなっているので、反射板それ自体のコストを低く抑えることができる。
【００１０】
しかも、反射板は、その両端を向き合う方向に押し合わせて湾曲状に弾性撓み変形をさせ、該両端部を、照明器具本体のがわの対の掛止凹所内に、該反射板の弾性復元力によって弾力的に当接させるようにすれば、照明器具本体に対して位置決め保持状態にすることができるようになされているので、照明器具本体に対する反射板の取付けを容易に行うことができる。
【００１１】
この反射板を最終的に照明器具本体に対してねじ止めする場合も、ねじ止め作業において、反射板は照明器具本体に対し、弾力的当接によって位置決め状態に保持されているので、反射板を支えることなくねじ止め作業を行なっていくことができて、反射板の取付け作業を容易にすることができる。
【００１２】
加えて、このように、反射板は、その両端部が、照明器具本体のがわの対の掛止凹所内に、該反射板の弾性復元力によって弾力的に当接するように構成されているので、この弾力的当接作用によって、反射板と照明器具本体との間に隙間を生じるのが防がれ、外観体裁の良好な取付け状態を形成することができる。
【００１３】
第１発明において、前記照明器具本体において、各掛止凹所から前記樹脂製反射板に隠されることなく外方に延びる面部が、鏡面反射面からなっていて、照明器具本体に取り付けられた前記光源ランプからの光を直接受けて、該光を鏡面反射させるようになされているとよい（第２発明）。
【００１４】
この場合は、樹脂製反射板による拡散反射に加え、照明器具本体による鏡面反射も行われるようになされていて、反射性能を高めることができる。
【発明の効果】
【００１５】
本発明の、照明器具における反射部の構造は、以上のとおりのものであるから、反射板のコストを低く抑えることができ、しかも、反射板を照明器具本体に対して容易に取り付けることができ、加えて、隙間のない外観体裁良好な取付け状態を形成することができる。
【図面の簡単な説明】
【００１６】
【図１】実施形態の構造を示すもので、図（イ）は断面側面図、図（ロ）は反射板を取り外した状態の断面側面図、図（ハ）は分解状態の要部拡大断面側面図である。
【図２】図（イ）は反射板取付け状態の要部拡大断面側面図、図（ロ）は鏡面反射面の傾斜角度を示す要部拡大断面側面図、図（ハ）は鏡面反射面による光の反射状態を示す断面側面図である。
【図３】図（イ）〜図（ハ）は、図４（ニ）〜（ヘ）と共に、反射板と直管形蛍光管の取付け方法を順次に示す断面側面図である。
【図４】図（ニ）〜図（ヘ）は、図３（イ）〜（ハ）と共に、反射板と直管形蛍光管の取付け方法を順次に示す断面側面図である。
【発明を実施するための形態】
【００１７】
次に、本発明の実施形態を図面に基づいて説明する。
【００１８】
図１及び図２に示す実施形態の照明器具における反射部の構造は、天井埋込み型の照明器具に適用した場合のもので、１は天井板、２は照明器具本体、３は反射板、４は光源ランプとしての直管形蛍光管である。
【００１９】
反射板３は、図１（ロ）に示すように、反射面３ａが光を拡散反射させる方形の平面形状をした樹脂製反射板からなっていて、図１（イ）に示すように、その幅方向の両端部、即ち、両がわの側辺部を向き合う方向に押し合わせることで上に凸の湾曲状に弾性撓み変形をさせることができるようになっており、該湾曲状の弾性撓み変形をさせた状態で、その両がわの側辺部が、照明器具本体２のがわに設けられた対の「く」の字形をした掛止凹所５，５内に、反射板３の弾性復元力によって弾力的に当接して位置決め状態に照明器具本体２に保持されており、該保持状態において、照明器具本体２に取り付けられている直管形蛍光管４からの光を直接受けて該光を拡散反射させて照明を行うようになされている。
【００２０】
そして、照明器具本体２において、図２（イ）に示すように、各掛止凹所５から樹脂製反射板３に隠されることなく外方に延びる面部６，６が、鏡面反射面、例えば反射率が通常の７５％程度よりも高い高反射塗装鋼板からなる反射面で構成されていて、該鏡面反射面６，６が、図２（ハ）に示すように、照明器具本体２に取り付けられた直管形蛍光管４からの光を直接受けて、該光を鏡面反射させて照明を行うようになされている。
【００２１】
なお、鏡面反射面６の角度αは、光源ランプである直管形蛍光管４との関係で、上に述べたように、直管形蛍光管４からの光を直接受けて照明のための反射を行うことができる角度範囲内において設定されていることはいうまでもない。
【００２２】
上記の樹脂製反射板３の取付けは、種々の方法で行われてよいが、取付け方法の一例を挙げるとすれば、まず、図３（イ）（ロ）に示すように、平面形状をした樹脂製反射板３の一方の側辺部を、照明器具本体２の一方の掛止凹所５内に当接させた状態で、反射板３の幅方向の中間部を下から上に押し上げるようにして、図３（ハ）に示すように、上に凸の湾曲状に弾性撓み変形をさせ、そして、図４（ニ）に示すように、反射板３のもう一方の側辺部を、照明器具本体２のもう一方の掛止凹所５内に、反射板３の弾性復元力を利用して嵌め込み、本実施形態では、最後に、反射板３の幅方向中央部をねじ７で照明器具本体２に取り付けば、反射板３の取付けは完了である。直管形蛍光管４は、その後に、図４（ホ）（ヘ）に示すように、照明器具本体２に取り付ければよい。
【００２３】
上記の構造では、反射板３は、照明器具本体２に取り付けられる前の自然な状態で平面形状をしており、かつ、反射面が光を拡散反射させる樹脂製反射板からなっているので、反射板それ自体のコストを低く抑えることができる。
【００２４】
しかも、反射板３は、その両がわの側辺部を向き合う方向に押し合わせて上に凸の湾曲状に弾性撓み変形をさせ、該両がわの側辺部を、照明器具本体２のがわの対の掛止凹所５，５内に、該反射板３の弾性復元力によって弾力的に当接させるようにすれば、照明器具本体２に対して位置決め保持状態にすることができるようになされているので、上記のように、照明器具本体２に対する反射板３の取付けを容易に行うことができる。
【００２５】
この反射板３を最終的に照明器具本体２に対してねじ７で止める場合も、ねじ止め作業において、反射板３は照明器具本体２に対し、弾力的当接によって位置決め状態に保持されているので、反射板３を手で支えることなくねじ止め作業を行なうことができて、反射板３の取付け作業を容易にすることができる。
【００２６】
加えて、反射板３は、その両がわの側辺部が、照明器具本体２のがわの対の掛止凹所５，５内に、該反射板３の弾性復元力によって弾力的に当接するように構成されているので、この弾力的当接作用によって、反射板３と照明器具本体２との間に隙間を生じるのが防がれ、外観体裁の良好な取付け状態を形成することができる。
【００２７】
また、本実施形態では、照明器具本体２において、各掛止凹所５，５から樹脂製反射板３に隠されることなく外方に延びる面部６，６が、鏡面反射面からなっていて、照明器具本体に取り付けられた前記光源ランプからの光を直接受けて、該光を鏡面反射させるようになされているので、樹脂製反射板３による拡散反射に加え、照明器具本体２による鏡面反射も行われて、反射性能を高いものにすることができる。
【００２８】
以上に、本発明の実施形態を示したが、本発明はこれに限られるものではなく、発明思想を逸脱しない範囲で各種の変更が可能である。例えば、上記の実施形態では、直管形蛍光管用の照明器具における反射部の構造を示したが、電球用の照明器具などに適用することも可能である。また、上記実施形態では、天井埋込み型の照明器具に適用した場合を示したが、天井直付け型の照明器具に適用することも可能であるし、壁面取付け型、床面取付け型の照明器具等に適用することも可能である。また、反射板を撓ませる方向は、どのような照明を行うかに依存して決められればよく、種々の方向に撓まされていてよい。
【符号の説明】
【００２９】
２…照明器具本体
３…樹脂製反射板
３ａ…拡散反射面
４…直管形蛍光管（光源ランプ）
５…掛止凹所
６…鏡面反射面
【図１】
0005520730.tif 000002
【図２】
0005520730.tif 000003
【図３】
0005520730.tif 000004
【図４】
0005520730.tif 000005